(57)【特許請求の範囲】
【請求項１】
仕切面材により仕切られた部屋と、前記仕切面材を隔てて前記部屋と隣接する部屋裏空間とを備える建物に適用され、
前記建物の外壁又は屋根の屋外側に設けられた集熱板と、
前記外壁又は前記屋根と前記集熱板との間に形成された集熱空間と、
前記部屋裏空間を通じて設けられ、前記集熱空間の空気を前記部屋に供給するための給気経路と、を備え、
前記給気経路として、前記集熱空間の空気を同一の前記部屋へと供給する２つの給気経路を備え、
それら２つの給気経路のうち一方の給気経路には、その途中に、前記集熱空間から供給される空気を内部に蓄える蓄熱用チャンバが設けられ、
他方の給気経路には、その途中に、前記蓄熱用チャンバが設けられていないことを特徴とする建物の太陽熱集熱装置。
【請求項２】
梁及び柱を有してなる複数の建物ユニットが互いに連結されて構成されているとともに、仕切面材により仕切られた部屋と、前記仕切面材を隔てて前記部屋と隣接する部屋裏空間とを備えるユニット式の建物に適用され、
前記建物の外壁又は屋根の屋外側に設けられた集熱板と、
前記外壁又は前記屋根と前記集熱板との間に形成された集熱空間と、
前記部屋裏空間を通じて設けられ、前記集熱空間の空気を前記部屋に供給するための給気経路と、を備え、
前記給気経路は、その途中に、前記集熱空間から供給される空気を内部に蓄える蓄熱用チャンバを備え、
水平方向に隣り合う２つの部屋を仕切るとともに対向する一対の壁面材を有する間仕切壁を備え、
前記間仕切壁は、水平方向に隣接する２つの建物ユニットの境界部に設けられ、その間仕切壁における前記各壁面材の間の壁内空間に前記蓄熱用チャンバが設けられており、
前記蓄熱用チャンバの上端部には被支持部が固定されており、
前記蓄熱用チャンバは、前記隣接する各建物ユニットにおいて対向する前記梁としての各天井大梁に前記被支持部を介して吊り下げられた状態で支持されていることを特徴とする建物の太陽熱集熱装置。
【請求項３】
梁及び柱を有してなる複数の建物ユニットが互いに連結されて構成されているとともに、仕切面材により仕切られた部屋と、前記仕切面材を隔てて前記部屋と隣接する部屋裏空間とを備えるユニット式の建物に適用され、
前記建物の外壁又は屋根の屋外側に設けられた集熱板と、
前記外壁又は前記屋根と前記集熱板との間に形成された集熱空間と、
前記部屋裏空間を通じて設けられ、前記集熱空間の空気を前記部屋に供給するための給気経路と、を備え、
前記給気経路は、その途中に、前記集熱空間から供給される空気を内部に蓄える蓄熱用チャンバを備え、
水平方向に隣り合う２つの部屋を仕切るとともに対向する一対の壁面材を有する間仕切壁を備え、
前記間仕切壁は、水平方向に隣接する２つの建物ユニットの境界部に設けられ、その間仕切壁における前記各壁面材の間の壁内空間に前記蓄熱用チャンバが設けられており、
前記蓄熱用チャンバは、前記壁内空間が拡がる方向に拡張された扁平形状をなし、その一部が前記隣接する各建物ユニットの対向する梁同士の間まで延出していることを特徴とする建物の太陽熱集熱装置。
【請求項４】
梁及び柱を有してなる複数の建物ユニットが互いに連結されて構成されているとともに、仕切面材により仕切られた部屋と、前記仕切面材を隔てて前記部屋と隣接する部屋裏空間とを備えるユニット式の建物に適用され、
前記建物の外壁又は屋根の屋外側に設けられた集熱板と、
前記外壁又は前記屋根と前記集熱板との間に形成された集熱空間と、
前記部屋裏空間を通じて設けられ、前記集熱空間の空気を前記部屋に供給するための給気経路と、を備え、
前記給気経路は、その途中に、前記集熱空間から供給される空気を内部に蓄える蓄熱用チャンバを備え、
水平方向に隣り合う２つの部屋を仕切るとともに対向する一対の壁面材を有する間仕切壁を備え、
前記間仕切壁は、水平方向に隣接する２つの建物ユニットの境界部に設けられ、その間仕切壁における前記各壁面材の間の壁内空間に前記蓄熱用チャンバが設けられており、
前記建物ユニットは、その天井部又は床部に、前記梁が四辺に組み付けられてなる大梁部を有し、
前記給気経路は、前記大梁部で囲まれた梁囲みスペースに設けられ、一端が前記集熱空間に通じ他端が前記蓄熱用チャンバに接続された給気ダクトを備えていることを特徴とする建物の太陽熱集熱装置。
【請求項５】
前記建物には、前記部屋が複数設けられており、
前記一方の給気経路は、前記蓄熱用チャンバ内の空気をそれら複数の部屋に対して供給可能に構成されており、
前記他方の給気経路は、前記集熱空間の空気を前記複数の部屋に対して供給可能に構成されており、
前記蓄熱用チャンバ内の空気をいずれの部屋に供給するかを切り替える切替手段と、
前記各部屋ごとに人の有無を検知する人検知手段と、
前記人検知手段により人がいることが検知された部屋に対してのみ前記蓄熱用チャンバ内の空気を供給するよう前記切替手段による切替を実施する切替制御手段と、
を備えることを特徴とする請求項１に記載の建物の太陽熱集熱装置。
【請求項６】
隣り合う２つの部屋が仕切体によって仕切られており、該仕切体は対向する一対の前記仕切面材を有しており、それら各仕切面材の間の前記部屋裏空間に前記蓄熱用チャンバが設けられていることを特徴とする請求項１又は５に記載の建物の太陽熱集熱装置。
【請求項７】
前記仕切体は、水平方向に隣り合う２つの部屋を仕切る間仕切壁であり、
前記間仕切壁は、対向する一対の壁面材を前記仕切面材として有し、それら各壁面材の間の壁内空間に前記蓄熱用チャンバが設けられていることを特徴とする請求項６に記載の建物の太陽熱集熱装置。
【請求項８】
前記建物は、梁及び柱を有してなる複数の建物ユニットが互いに連結されて構成されるユニット式建物であり、
水平方向に隣接する２つの建物ユニットの境界部に前記間仕切壁が設けられ、その壁内空間に前記蓄熱用チャンバが設けられており、
前記蓄熱用チャンバは、前記壁内空間が拡がる方向に拡張された扁平形状をなし、その一部が前記隣接する各建物ユニットの対向する梁同士の間まで延出していることを特徴とする請求項７に記載の建物の太陽熱集熱装置。
【請求項９】
前記建物は、梁及び柱を有してなる複数の建物ユニットが互いに連結されて構成されるユニット式建物であり、
水平方向に隣接する２つの建物ユニットの境界部に前記間仕切壁が設けられ、その壁内空間に前記蓄熱用チャンバが設けられており、
前記建物ユニットは、その天井部又は床部に、前記梁が四辺に組み付けられてなる大梁部を有し、
前記一方の給気経路は、前記大梁部で囲まれた梁囲みスペースに設けられ、一端が前記集熱空間に通じ他端が前記蓄熱用チャンバに接続された給気ダクトを備えていることを特徴とする請求項７又は８に記載の建物の太陽熱集熱装置。
【請求項１０】
前記建物は、梁及び柱を有してなる複数の建物ユニットが互いに連結されて構成されるユニット式建物であり、
前記蓄熱用チャンバは、前記建物ユニットの前記梁及び前記柱の少なくともいずれかに支持されていることを特徴とする請求項３、４、７、８又は９のいずれかに記載の建物の太陽熱集熱装置。
【請求項１１】
水平方向に隣接する２つの建物ユニットの境界部に前記間仕切壁が設けられ、その壁内空間に前記蓄熱用チャンバが設けられており、
前記蓄熱用チャンバの上端部には被支持部が固定されており、
前記蓄熱用チャンバは、前記隣接する各建物ユニットにおいて対向する前記梁としての各天井大梁に前記被支持部を介して吊り下げられた状態で支持されていることを特徴とする請求項１０に記載の建物の太陽熱集熱装置。
【請求項１２】
前記蓄熱用チャンバ内の空気の前記部屋への供給を行う給気手段と、
前記部屋の温度を検知する部屋温度検知手段と、
前記蓄熱用チャンバ内の温度を検知するチャンバ温度検知手段と、
前記蓄熱用チャンバ内の温度が前記部屋の温度よりも高いことを条件として、前記蓄熱用チャンバ内の空気を前記部屋に供給するよう前記給気手段を制御する給気制御手段と、を備えることを特徴とする請求項１乃至１１のいずれか一項に記載の建物の太陽熱集熱装置。
【発明の詳細な説明】
【技術分野】
【０００１】
本発明は、建物の太陽熱集熱装置に関する。
【背景技術】
【０００２】
従来より、太陽光の熱を利用して建物内空間の空気を暖める技術が各種提案されている。例えば特許文献１に記載されている構成では、建物の外壁の屋外側に鋼板等の集熱板が設けられ、外壁と集熱板との間に空気層が形成されている。この空気層は、建物において当該外壁に隣接して設けられた居室と通気ダクトを介して連通されている。この構成によれば、空気層の空気が集熱板を介して太陽光により暖められ、その暖められた空気が暖気として居室に供給される。これにより、例えば冬期において太陽光からの熱を利用して居室の暖房を行うことができる。
【先行技術文献】
【特許文献】
【０００３】
【特許文献１】特開２００５−３２６０７７号公報
【発明の概要】
【発明が解決しようとする課題】
【０００４】
しかしながら、上記特許文献１の構成は、太陽光が照射されている昼間の時間帯しか空気層の空気を暖めることができない。そのため、夜間等の太陽光が照射されていない時間帯においては部屋の暖房を行うことができないと考えられる。
【０００５】
本発明は、上記事情に鑑みてなされたものであり、夜間においても部屋の暖房を行うことができる建物の太陽熱集熱装置を提供することを主たる目的とするものである。
【課題を解決するための手段】
【０００６】
上記課題を解決すべく、第１の発明の建物の太陽熱集熱装置は、仕切面材により仕切られた部屋と、前記仕切面材を隔てて前記部屋と隣接する部屋裏空間とを備える建物に適用され、前記建物の外壁又は屋根の屋外側に設けられた集熱板と、前記外壁又は前記屋根と前記集熱板との間に形成された集熱空間と、前記部屋裏空間を通じて設けられ、前記集熱空間の空気を前記部屋に供給するための給気経路と、を備え、前記給気経路は、その途中に、前記集熱空間から供給される空気を内部に蓄える蓄熱用チャンバを備えることを特徴とする。
【０００７】
本発明によれば、建物の外壁又は屋根と集熱板との間に形成された集熱空間の空気が太陽熱により集熱板を介して暖められ、その暖められた空気（暖気）が給気通路を通じて建物内の部屋に供給される。これにより、例えば冬場においては、その暖気によって各部屋の暖房を行うことができる。また、給気通路の途中には蓄熱用チャンバが設けられているため、当該チャンバの内部に集熱空間から供給される暖気を蓄えておくことができる。これにより、蓄熱用チャンバに蓄えた暖気を部屋に供給することにより、夜間においても部屋の暖房を行うことができる。
【０００８】
なお、部屋裏空間とは、建物内において人が生活の場としたり滞在の場としたりする目的で使用される空間（すなわち部屋）とは異なる空間であり、例えば天井裏空間や床下空間、壁内空間等が挙げられる。
【０００９】
第２の発明の建物の太陽熱集熱装置は、第１の発明において、隣り合う２つの部屋が仕切体によって仕切られており、該仕切体は対向する一対の前記仕切面材を有しており、それら各仕切面材の間の前記部屋裏空間に前記蓄熱用チャンバが設けられていることを特徴とする。
【００１０】
本発明によれば、蓄熱用チャンバが、建物において２つの部屋を仕切る仕切体の内部に設けられており、屋外から部屋を隔てて配置されているため、蓄熱用チャンバの断熱性能を高めることができる。これにより、蓄熱用チャンバ内に暖気（熱）を好適に蓄えておくことができる。また、蓄熱用チャンバが２つの部屋間に設けられる上記の構成は、チャンバ内に蓄えられた暖気をそれら各部屋の両方に供給するにあたり都合がよい。例えば、蓄熱用チャンバの両側面にそれぞれ同チャンバ内の暖気を各部屋に吹き出す吹出部を設ければ、ダクト（配管）を介さずにチャンバ内の暖気を部屋に供給できる。この場合、暖気供給時における熱漏れ低減を図ることができ、夜間において効率のよい暖房が期待できる。
【００１１】
なお、仕切体としては、建物において上下に隣接する部屋同士を仕切るもの、水平方向に隣接する部屋同士を仕切るものが考えられる。
【００１２】
第３の発明の建物の太陽熱集熱装置は、第２の発明において、前記仕切体は、水平方向に隣り合う２つの部屋を仕切る間仕切壁であり、前記間仕切壁は、対向する一対の壁面材を前記仕切面材として有し、それら各壁面材の間の壁内空間に前記蓄熱用チャンバが設けられていることを特徴とする。
【００１３】
本発明によれば、間仕切壁の壁内空間に蓄熱用チャンバが設けられているため、同一階にて隣り合う２つの部屋にチャンバ内に蓄えた暖気を供給する場合に都合がよい。また、蓄熱用チャンバが、壁面材を固定するための下地材として用いることが可能な強度を有している場合には、各壁面材をそれぞれ蓄熱用チャンバの側面に固定してもよい。そうすれば、蓄熱用チャンバを蓄熱容器としてだけでなく壁下地材として用いることができ、蓄熱用チャンバの多機能化が図れる。ここで、さらに蓄熱用チャンバを壁内空間に拡がる方向に拡張された扁平形状をなすものとすれば、壁面材を蓄熱用チャンバの側面によって広く支えることができるため、間仕切壁を安定した構造とすることができる。
【００１４】
第４の発明の建物の太陽熱集熱装置は、第３の発明において、前記建物は、梁及び柱を有してなる複数の建物ユニットが互いに連結されて構成されるユニット式建物であり、前記蓄熱用チャンバは、前記建物ユニットの前記梁及び前記柱の少なくともいずれかに支持されていることを特徴とする。
【００１５】
本発明によれば、蓄熱用チャンバの荷重を建物ユニットの躯体を構成する柱及び梁の少なくともいずれかによって支えることができるため、蓄熱用チャンバを安定した状態で設置できる。
【００１６】
第５の発明の建物の太陽熱集熱装置は、第４の発明において、水平方向に隣接する２つの建物ユニットの境界部に前記間仕切壁が設けられ、その壁内空間に前記蓄熱用チャンバが設けられており、前記蓄熱用チャンバの上端部には被支持部が固定されており、前記蓄熱用チャンバは、前記隣接する各建物ユニットにおいて対向する前記梁としての各天井大梁に前記被支持部を介して吊り下げられた状態で支持されていることを特徴とする。
【００１７】
隣り合う建物ユニットの境界部では、対向する床梁間に隙間が形成されるため、蓄熱用チャンバを、その下端部を床梁上に載置した状態で設置することが困難となる場合がありえる。この点、本発明では、蓄熱用チャンバの上端部に固定された被支持部を介して蓄熱用チャンバを天井大梁に吊り下げ支持する構成としているため、ユニット境界部に蓄熱用チャンバを設置する場合において、同チャンバを好適に支持することが可能となる。
【００１８】
また、被支持部が、水平方向に隣接する２つの建物ユニットの各天井大梁上に跨るようにして載置されることで、蓄熱用チャンバが被支持部を介して各天井大梁に吊り下げ支持される構成としてもよい。そうすれば、ユニット式建物の施工時に、蓄熱用チャンバをクレーン等で吊下げた状態で建物ユニット間に設置する際、まず被支持部を天井大梁上に載置することで蓄熱用チャンバを同大梁に支持させ、その後その支持状態で蓄熱用チャンバを建物ユニット（例えば天井大梁）に固定する作業を行える。そのため、蓄熱用チャンバの設置作業を好適に行える。
【００１９】
第６の発明の建物の太陽熱集熱装置は、第３乃至第５の発明において、前記建物は、梁及び柱を有してなる複数の建物ユニットが互いに連結されて構成されるユニット式建物であり、水平方向に隣接する２つの建物ユニットの境界部に前記間仕切壁が設けられ、その壁内空間に前記蓄熱用チャンバが設けられており、前記蓄熱用チャンバは、前記壁内空間が拡がる方向に拡張された扁平形状をなし、その一部が前記隣接する各建物ユニットの対向する梁同士の間まで延出していることを特徴とする。
【００２０】
ユニット式建物では、隣り合う２つの建物ユニットにおいて対向する梁同士の間（梁間隙間）が通常デッドスペースとなっている。そこで、本発明ではこの点に着目し、建物ユニット同士の境界部に設けられた間仕切壁の壁内空間に蓄熱用チャンバを設け、同チャンバの一部を上記梁間隙間まで延出させる構成としている。この場合、梁間隙間の有効利用を図ることができるとともに、梁間隙間まで蓄熱用チャンバを延出させる分蓄熱用チャンバの内容量を大きくすることができ蓄熱量の増大を図ることができる。
【００２１】
第７の発明の建物の太陽熱集熱装置は、第３乃至第６の発明において、前記建物は、梁及び柱を有してなる複数の建物ユニットが互いに連結されて構成されるユニット式建物であり、水平方向に隣接する２つの建物ユニットの境界部に前記間仕切壁が設けられ、その壁内空間に前記蓄熱用チャンバが設けられており、前記建物ユニットは、その天井部又は床部に、前記梁が四辺に組み付けられてなる大梁部を有し、前記給気経路は、前記大梁部で囲まれた梁囲みスペースに設けられ、一端が前記集熱空間に通じ他端が前記蓄熱用チャンバに接続された給気ダクトを備えていることを特徴とする。
【００２２】
建物ユニットにおいては、その天井部又は床部に大梁部により囲まれてなる梁囲みスペースが形成されており、この梁囲みスペースが、水平方向に隣接する建物ユニットの間のスペース（以下、ユニット間スペースという）と大梁部（梁）を隔てて隣接している。この点、本発明では、梁囲みスペースに給気ダクトを設置する構成としているため、例えば給気ダクトの端部を大梁部を貫通して設ける等することで、同ダクトをユニット間スペースに容易に導くことができる。そのため、ユニット間スペースに設置された蓄熱用チャンバに給気ダクトを接続するにあたり都合のよい構成といえる。
【００２３】
また、蓄熱用チャンバの一部が隣接する各建物ユニットの対向する梁同士の間（梁間隙間）まで延出している第６の発明の構成では、蓄熱用チャンバにおいて上記梁間隙間まで延出した部位が梁囲みスペースに大梁部（梁）を隔てて隣り合う位置に配置される。そのため、本発明を第６の発明に適用すれば、梁囲みスペースに設置された給気ダクトを容易に蓄熱用チャンバに接続することができる。
【００２４】
第８の発明の建物の太陽熱集熱装置は、第１乃至第７のいずれかの発明において、前記建物には、前記部屋が複数設けられており、前記給気経路は、前記蓄熱用チャンバ内の空気をそれら複数の部屋に対して供給可能に構成されており、前記蓄熱用チャンバ内の空気をいずれの部屋に供給するかを切り替える切替手段と、前記各部屋ごとに人の有無を検知する人検知手段と、前記人検知手段により人がいることが検知された部屋に対してのみ前記蓄熱用チャンバ内の空気を供給するよう前記切替手段による切替を実施する切替制御手段と、を備えることを特徴とする。
【００２５】
本発明によれば、蓄熱用チャンバに蓄えられた暖気が人のいる部屋に対して自動で供給されるため、第１の発明の効果を奏するにあたって利便性を高めることができる。また、人のいない部屋には蓄熱用チャンバの暖気が供給されないため、暖気を無駄に消費することを回避できる。
【００２６】
第９の発明の建物の太陽熱集熱装置は、第１乃至第８のいずれかの発明において、前記蓄熱用チャンバ内の空気の前記部屋への供給を行う給気手段と、前記部屋の温度を検知する部屋温度検知手段と、前記蓄熱用チャンバ内の温度を検知するチャンバ温度検知手段と、前記蓄熱用チャンバ内の温度が前記部屋の温度よりも高いことを条件として、前記蓄熱用チャンバ内の空気を前記部屋に供給するよう前記給気手段を制御する給気制御手段と、を備えることを特徴とする。
【００２７】
本発明によれば、蓄熱用チャンバに蓄えられた暖気が冷める等してチャンバ内の温度が部屋の温度以下となった場合には、チャンバ内の空気が部屋に供給されないため、冷えた空気が部屋に供給されることでかえって部屋を冷やしてしまう等の不都合を回避できる。
【図面の簡単な説明】
【００２８】
【図１】建物全体の構成を示す概要図。
【図２】チャンバの設置状態を示す平面図。
【図３】チャンバの構成を示す横断面図。
【図４】ユニット式建物の概要を示す斜視図。
【図５】建物ユニットを示す斜視図。
【図６】太陽熱集熱装置の電気的構成を示すブロック図。
【図７】暖房制御処理を示すフローチャート。
【図８】昼間暖房処理を示すフローチャート。
【図９】夜間暖房処理を示すフローチャート。
【発明を実施するための形態】
【００２９】
以下に、本発明を具体化した一実施の形態について図面を参照しつつ説明する。なお、図４は、ユニット式建物の概要を示す斜視図である。
【００３０】
図４に示すように、建物１０は、基礎１１上に設けられた建物本体１２と、その上方に設けられた屋根部１３とを備える。建物本体１２は、下階部としての一階部分１４と、上階部としての二階部分１５とを有する二階建ての建物であり、複数の建物ユニット２０が互いに連結されることにより構成されている。建物ユニット２０は製造工場においてあらかじめ製造され、その後施工現場にトラック等により運搬されるものとなっている。なお、以下においては便宜上、場合によって一階部分１４の建物ユニット２０を下階ユニット２０ａ、二階部分１５の建物ユニット２０を上階ユニット２０ｂという。
【００３１】
図５は建物ユニット２０を示す斜視図である。同図に示すように、建物ユニット２０では、その四隅に柱２１が配され、各柱２１の上端部及び下端部がそれぞれ四本の天井大梁２２及び床大梁２３に連結されている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。天井大梁２２及び床大梁２３（詳細には、溝形鋼のウエブ）にはそれぞれ複数箇所に直径１００ｍｍ程度の梁貫通孔２２ａ，２３ａが設けられている。なお、四本の天井大梁２２及び四本の床大梁２３によってそれぞれ大梁部が構成されている。
【００３２】
建物ユニット２０の長辺部の相対向する天井大梁２２の間には、所定間隔で複数の天井小梁２５が架け渡されている。同じく建物ユニット２０の長辺部の相対向する床大梁２３の間には、所定間隔で複数の床小梁２６が架け渡されている。天井小梁２５と床小梁２６とはそれぞれ同間隔でかつ各々上下に対応する位置に水平に設けられている。天井小梁２５によって天井面材２８が支持され、床小梁２６によって床面材２９が支持されている。
【００３３】
続いて、建物１０の構成について図１に基づいて説明する。図１は、建物全体の構成を示す概要図である。
【００３４】
図１に示すように、建物１０の一階部分１４には第一居室１６と第二居室１７とが設けられており、二階部分１５には第三居室１８と第四居室１９とが設けられている。これら各居室１６〜１９はそれぞれ建物ユニット２０ごとに設けられている。
【００３５】
一階部分１４の居室１６，１７（以下、一階居室１６，１７ともいう）と二階部分１５の居室１８，１９（以下、二階居室１８，１９ともいう）とは階間部分３１によって仕切られている。階間部分３１は、一階居室１６，１７の天井面材２８及び二階居室１８，１９の床面材２９、それら各面材２８，２９の間にある各種部材により構成されている。それら天井面材２８及び床面材２９の間のスペースは階間空間３２となっており、この階間空間３２が部屋裏空間に相当するものとなっている。また、二階居室１８，１９は、同居室１８，１９の天井面材２８によって屋根裏空間３４と仕切られている。この屋根裏空間３４も部屋裏空間に相当するものとなっている。
【００３６】
一階部分１４には、第一居室１６と第二居室１７とを仕切る間仕切壁３６が設けられている。間仕切壁３６は、対向する一対の内壁面材３７を備え、それら各内壁面材３７の間が壁内空間３８となっている。各内壁面材３７は、例えば壁内空間３８に設けられた下地フレームによって支持されている。二階部分１５には、第三居室１８と第四居室１９とを仕切る間仕切壁４１が設けられている。間仕切壁４１は、対向する一対の内壁面材４２を備え、それら各内壁面材４２の間が壁内空間４３となっている。各内壁面材４２は、壁内空間４３に設けられたチャンバ７１（その詳細は後述）により支持されている。なおここで、各壁内空間３８，４３がそれぞれ部屋裏空間に相当する。
【００３７】
建物１０の外周部には、一階部分１４及び二階部分１５にそれぞれ外壁パネル４５が設けられている。これらの外壁パネル４５はそれぞれ建物ユニット２０の側面、詳しくは同ユニット２０の天井大梁２２及び床大梁２３に固定されている。
【００３８】
ところで、本実施形態の建物１０には、太陽光の熱を集めることで空気を暖めるとともにその暖めた空気を居室１６〜１９に供給する太陽熱集熱装置５０が設けられている。以下、この太陽熱集熱装置５０について説明する。
【００３９】
太陽熱集熱装置５０は、外壁パネル４５の屋外側に設けられた集熱パネル５１を備えている。集熱パネル５１は、日当たりのよい建物１０の南面に設けられた一階部分１４の外壁パネル４５及び二階部分１５の外壁パネル４５に対してそれぞれ設けられている。各集熱パネル５１はそれぞれ外壁パネル４５に対して屋外側に離間して設けられており、これにより一階部分１４及び二階部分１５ではそれぞれ外壁パネル４５と集熱パネル５１との間に集熱空間５３が形成されている。この場合、集熱パネル５１に対して太陽光が照射されると、その太陽熱が集熱パネル５１を介して集熱空間５３の空気に伝達され、これによって同空間５３の空気が暖められるようになっている。
【００４０】
集熱パネル５１と外壁パネル４５との間には、集熱空間５３の周囲を囲むように上板部５４と一対の側板部５５とが設けられている。上板部５４と側板部５５とはそれぞれ集熱空間５３の上端部及び側端部を規定しているとともに、集熱パネル５１を外壁パネル４５に固定する固定部材となっている。集熱空間５３の下端は屋外に開放されており、この開放部分が集熱空間５３に屋外の空気を取り込むための取込口５６となっている。
【００４１】
太陽熱集熱装置５０は、集熱空間５３の空気を各居室１６〜１９に供給するための給気経路５８，５９を備えている。各給気経路５８，５９のうち一方が一階部分１４の集熱空間５３の空気を各居室１６〜１９に供給する第１給気経路５８となっており、他方が二階部分１５の集熱空間５３の空気を各居室１６〜１９に供給する第２給気経路５９となっている。以下、これら各給気経路５８，５９について説明する。
【００４２】
まず、第１給気経路５８について説明すると、階間空間３２には第１通気ダクト６１が設けられている。階間空間３２は、建物ユニット２０（下階ユニット２０ａ）の天井大梁２２によって区画された空間となっているが、第１通気ダクト６１は同大梁２２の梁貫通孔２２ａ（図５参照）に挿通された状態で、階間空間３２において上記区画された各空間に跨るように設けられている。
【００４３】
第１通気ダクト６１の一端部は天井大梁２２の梁貫通孔２２ａ（詳細にはさらに外壁パネル４５に形成された挿通孔（図示略））に挿通されて一階部分１４の集熱空間５３に通じている。この場合、第１通気ダクト６１は当該集熱空間５３における上端部付近の空気を取り込むものとなっている。第１通気ダクト６１は、その途中で複数（図１では４つ）に分岐されて分岐ダクト６１ａとなっており、これら各分岐ダクト６１ａはそれぞれ各居室１６〜１９に設けられた吹出グリル６３と接続されている。各吹出グリル６３のうち、一階居室１６，１７の吹出グリル６３は同居室１６，１７の天井面材２８に設けられ、二階居室１８，１９の吹出グリル６３は同居室１８，１９の床面材２９に設けられている。
【００４４】
第１通気ダクト６１の途中、詳しくは第１通気ダクト６１における分岐ダクト６１ａよりも上流側には第１ファン装置６５が設けられている。第１ファン装置６５は、一階部分１４の集熱空間５３の空気を第１通気ダクト６１を通じて下流側に送るためのものである。ここで、第１ファン装置６５を作動させると、当該集熱空間５３において暖められた空気（暖気）が第１通気ダクト６１（各分岐ダクト６１ａを含む）を通じて各居室１６〜１９の吹出グリル６３に供給され、その供給された暖気が各々の吹出グリル６３より各居室１６〜１９に吹き出されるようになっている。
【００４５】
各吹出グリル６３にはそれぞれ各々の吹出口（図示略）を開閉する第１通気ガラリ６４（図６参照）が設けられている。第１通気ガラリ６４は、図示しない駆動部（モータ等）によって電気的に開閉駆動されるものであり、駆動部が制御されることにより開状態と閉状態とに切替可能となっている。ここで、第１通気ガラリ６４が開状態とされると、吹出グリル６３が開放され同グリル６３からの空気の吹き出しが許容される。それに対して、第１通気ガラリ６４が閉状態とされると、吹出グリル６３が閉鎖され同グリル６３からの空気の吹き出しが禁止される。
【００４６】
続いて、第２給気経路５９について説明する。屋根裏空間３４には給気ダクトとしての第２通気ダクト６６が設けられている。第２通気ダクト６６は、屋根裏空間３４において上階ユニット２０ｂの天井大梁２２により囲まれた内側スペース（梁囲みスペース）に設置されている。第２通気ダクト６６は、その一端部が天井大梁２２の梁貫通孔２２ａ（詳細にはさらに外壁パネル４５に形成された挿通孔（図示略））に挿通された状態で二階部分１５の集熱空間５３に通じている。この場合、第２通気ダクト６６は当該集熱空間５３における上端部付近の空気を取り込むものとなっている。
【００４７】
第２通気ダクト６６の途中には第２ファン装置７０が設けられている。第２ファン装置７０は、集熱空間５３の空気を第２通気ダクト６６を通じて下流側に送るためのものである。第２通気ダクト６６は、その下流側の端部において二階部分１５の間仕切壁４１の壁内空間４３に設置されたチャンバ７１と接続されている。チャンバ７１は、その内部に集熱空間５３で暖められた空気を蓄える蓄熱容器となっており、以下においては、このチャンバ７１の構成について図１に加え図２及び図３に基づき説明する。図２はチャンバ７１の設置状態を示す平面図、図３はチャンバ７１の構成を示す横断面図である。なお、図１では便宜上チャンバ７１を網掛けして示している。
【００４８】
図１及び図２に示すように、チャンバ７１は、例えば合成樹脂等からなる蓄熱容器となっており、内壁面材４２の下地材としても用いることができる強度を有している。チャンバ７１は、間仕切壁４１の壁内空間４３に沿って拡がる薄型（換言すると扁平状）の直方体形状（箱状）に形成されており、その上下方向の寸法が建物ユニット２０における床大梁２３の下面から天井大梁２２の上面までの上下寸法と略同じとなっている。また、チャンバ７１の横幅方向（図２の左右方向）の寸法は、建物ユニット２０の左右２つの柱２１間寸法よりも若干小さい寸法となっており、チャンバ７１の厚み方向（図２の上下方向）の寸法は、隣り合う建物ユニット２０の対向する天井大梁２２間の隙間（梁間隙間）寸法（例えば１３０ｍｍ）よりも若干小さい寸法となっている。
【００４９】
図３に示すように、チャンバ７１は、内層７２及び外層７３からなる二重構造（複層構造）により形成されている。内層７２は、断熱性能・気密性能に優れた樹脂材料により形成されており、その内部が集熱空間５３から供給される空気を流通させたり蓄えたりするためのチャンバ内空間Ｃとなっている。外層７３は、チャンバ７１の断熱性能を高めるための断熱層となっており、発泡ウレタンフォーム等からなる板状の発泡系断熱材が内層７２の外側面に貼り付けられることで構成されている。
【００５０】
なお、内層７２を形成する材料は必ずしも樹脂材料に限ることなく、ステンレス等の金属材料等他の材料であってもよい。また、チャンバ７１は必ずしも複層構造とする必要はなく単層構造であってもよい。単層構造であれば、例えば発泡系断熱材からなる複数の板材を接着剤等により接合することでチャンバ７１を構成することが考えられる。
【００５１】
チャンバ７１の上面部には、板面が水平方向となる向きで支持プレート７５が固定されている。被支持部としての支持プレート７５は、チャンバ７１の横幅方向に延びる長尺平板状の板金部材からなり、その幅（短手方向の長さ）寸法がチャンバ７１の厚み寸法よりも大きくなっている。支持プレート７５は、幅方向（短手方向）の両側においてその一部がそれぞれチャンバ７１からはみ出した状態で同チャンバ７１に固定されている。なお、支持プレート７５においてチャンバ７１からはみ出した部分を以下はみ出し部７５ａという。
【００５２】
チャンバ７１は、隣り合う上階ユニット２０ｂの間に縦向きで設けられており、その上端部が各上階ユニット２０ｂの対向する天井大梁２２同士の間（梁間隙間）に配設され、その下端部が各上階ユニット２０ｂの対向する床大梁２３同士の間（梁間隙間）に配設されている。したがって、チャンバ７１は、隣り合う上階ユニット２０ｂ間において同ユニット２０ｂの上下高さ全域に亘って設けられている。
【００５３】
かかるチャンバ７１の設置状態では、支持プレート７５の各はみ出し部７５ａがそれぞれ各上階ユニット２０ｂの天井大梁２２（詳しくはその上フランジ部）上に載置されており、その載置された状態で各はみ出し部７５ａが天井大梁２２の上面部にボルト等で固定されている。これにより、チャンバ７１は支持プレート７５を介して天井大梁２２に吊り下げ支持されており、その支持状態で同大梁２２に固定されている。この場合、重量物となることが想定されるチャンバ７１を安定した状態で設置することができる。また、図示は省略するものの、チャンバ７１において床大梁２３間に配設された部分（チャンバ７１の下部）は同大梁２３に対してボルト等で固定されている。
【００５４】
なお、チャンバ７１の厚み寸法を隣り合う建物ユニット２０の床大梁２３同士の隙間（梁間隙間）とほぼ同じ寸法に設定し、チャンバ７１の設置状態において、チャンバ７１の下部の両側面をそれぞれ各床大梁２３（詳しくはそのウェブ）に当接させてもよい。そうすれば、チャンバ７１のがたつきを床大梁２３によって規制できるため、より一層安定した状態でチャンバ７１を設置できる。
【００５５】
ここで上記のチャンバ７１は、施工現場において、隣り合う上階ユニット２０ｂの間に設置されるものとなっている。すなわち、施工時には、まず各建物ユニット２０が所定位置に設置され互いに連結されることで建物本体１２が構築される。その後、チャンバ７１がクレーン等で吊下げられた状態で、隣り合う各上階ユニット２０ｂの天井大梁２２間の隙間を通じて、それらユニット２０ｂ間に差し入れられる。このとき、チャンバ７１は支持プレート７５が天井大梁２２の上面に当接するまで差し入れられる。これにより、チャンバ７１は各上階ユニット２０ｂ間において所定の高さ位置に配置され、その配置状態で支持プレート７５が天井大梁２２にボルト等で固定される。このようにして、チャンバ７１は各上階ユニット２０ｂ間において所定の位置に設置される。
【００５６】
図１の説明に戻り、チャンバ７１の両側面にはそれぞれ内壁面材４２がビス等で固定されている。すなわち、二階部分１５の間仕切壁４１では、チャンバ７１が各内壁面材４２を固定するための下地材として機能しており、それ故間仕切壁４１が強固なものとなっている。
【００５７】
間仕切壁４１の各内壁面材４２にはそれぞれ吹出グリル８３が設けられている。これら各吹出グリル８３のうち一方はチャンバ７１内の空気を第三居室１８に吹き出すものであり、他方はチャンバ７１内の空気を第四居室１９に吹き出すものである。
【００５８】
チャンバ７１において隣接する床大梁２３同士の隙間（梁間隙間）に配設されている部位には一対の通気ダクト８１，８２が接続されている。これらの通気ダクト８１，８２はそれぞれ床大梁２３の梁貫通孔２３ａ（図５参照）に挿通された状態でチャンバ７１に接続されている。各通気ダクト８１，８２のうち一方の通気ダクト８１は第一居室１６の天井面材２８に設けられた吹出グリル８３に接続されており、他方の通気ダクト８２は第二居室１７の天井面材２８に設けられた吹出グリル８３に接続されている。
【００５９】
ここで、第２ファン装置７０が作動すると、二階部分１５の集熱空間５３において暖められた空気（暖気）が第２通気ダクト６６を通じてチャンバ７１内に流れ込み、その後第三居室１８及び第四居室１９の各吹出グリル８３から各々の居室１８，１９に吹き出される。そして、チャンバ７１内の暖気の一部はさらに各通気ダクト８１，８２を通じて第一居室１６及び第二居室１７の各吹出グリル８３に供給され、それら各吹出グリル８３より各々の１６，１７に吹き出される。このようにして、二階部分１５の集熱空間５３の暖気が第２給気経路５９を通じて各居室１６〜１９に供給されるようになっている。
【００６０】
各吹出グリル８３にはそれぞれ各々の吹出口（図示略）を開閉する第２通気ガラリ８４（図６参照）が設けられている。第２通気ガラリ８４は、図示しない駆動部（モータ等）によって電気的に開閉駆動されるものであり、駆動部が制御されることにより開状態と閉状態とに切替可能となっている。ここで、第２通気ガラリ８４が開状態とされると、吹出グリル８３が開放され同グリル８３からの空気の吹き出しが許容される。それに対して、第２通気ガラリ８４が閉状態とされると、吹出グリル８３が閉鎖され同グリル８３からの空気の吹き出しが禁止される。したがって、各第２通気ガラリ８４を閉状態とすることにより各吹出グリル８３を閉鎖した状態で、第２ファン装置７０を作動させると、二階部分１５の集熱空間５３で暖められた空気（暖気）がチャンバ７１内において蓄えられる。よって、この場合、チャンバ７１内で蓄熱を行うことができる。
【００６１】
建物１０において、第一居室１６、第二居室１７、第三居室１８及び第四居室１９にはそれぞれ各々の居室温度を検知する居室温度センサ８６が設けられている。また、各居室１６〜１９にはそれぞれ各々の居室１６〜１９における人の有無を検知する人検知センサ８７が設けられている。これら各センサ８６，８７は、例えば各々の居室１６〜１９の内壁面に設けられている。なおここで、居室温度センサ８６が部屋温度検知手段に相当し、人検知センサ８７が人検知手段に相当する。
【００６２】
一階部分１４及び二階部分１５の各集熱空間５３にはそれぞれ集熱空間温度センサ８８が設けられている。集熱空間温度センサ８８ａは、一階部分１４の集熱空間５３の温度を検知するセンサであり、集熱空間温度センサ８８ｂは、二階部分１５の集熱空間５３の温度を検知するセンサである。本実施形態では、これら各集熱空間温度センサ８８ａ，８８ｂが各々の集熱空間５３において上部に設けられている。
【００６３】
チャンバ７１の内部には、チャンバ温度センサ８９が設けられている。チャンバ温度センサ８９は、チャンバ７１内の温度を検知するセンサであり、例えばチャンバ７１の内側面に設けられている。なおここで、チャンバ温度センサ８９がチャンバ温度検知手段に相当する。
【００６４】
次に、太陽熱集熱装置５０の電気的構成について図６に基づいて説明する。図６は太陽熱集熱装置５０の電気的構成を示すブロック図である。
【００６５】
図６に示すように、建物１０には、給気制御手段及び切替制御手段としてのコントローラ９０が設けられている。コントローラ９０は、ＣＰＵ等を有する周知のマイクロコンピュータを備えて構成されている。コントローラ９０には、各居室温度センサ８６、各人検知センサ８７、各集熱空間温度センサ８８及びチャンバ温度センサ８９から逐次検知結果が入力される。コントローラ９０は、これら各センサ８６〜８９からの検知結果に基づいて、第１ファン装置６５、第２ファン装置７０、各第１通気ガラリ６４及び各第２通気ガラリ８４の動作を制御する。
【００６６】
次に、コントローラ９０によって実行される暖房制御処理について図７に基づいて説明する。なお、図７は暖房制御処理を示すフローチャートである。また、本処理は所定の周期で繰り返し実行される。
【００６７】
図７に示すように、まずステップＳ１１では現在の時刻が所定の昼間時間帯であるか否かを判定する。ここで、所定の昼間時間帯は集熱パネル５１に対して太陽光が照射される時間帯に設定されており、例えば１０：００〜１５：００に設定されている。現在の時刻が所定の昼間時間帯である場合にはステップＳ１２に進み、昼間暖房処理を実行する。
【００６８】
ここで、この昼間暖房処理について図８に基づいて説明する。図８は昼間暖房処理を示すフローチャートである。図８に示すように、昼間暖房処理ではまずステップＳ２１において現在の時刻が所定の蓄熱時間帯であるか否かを判定する。本実施形態では、昼間の時間帯に集熱空間５３で暖められた空気（暖気）をチャンバ７１に蓄えて、その蓄えた暖気（熱）を夜間に各居室１６〜１９を暖めるために利用することとしている。ステップＳ２１〜Ｓ２３の各処理はチャンバ７１内に暖気（熱）を蓄えるための蓄熱処理に相当し、この蓄熱処理は所定の蓄熱時間帯に実施されるものとなっている。なお、本実施形態では、所定の蓄熱時間帯が１２：００〜１５：００に設定されている。ステップＳ２１において、現在の時刻が所定の蓄熱時間帯でない場合にはステップＳ２４に進み、所定の蓄熱時間帯である場合にはステップＳ２２に進む。
【００６９】
ステップＳ２２では、各居室１６〜１９の第２通気ガラリ８４をそれぞれ閉状態とし、続くステップＳ２３では、第２ファン装置７０に駆動信号を出力し同装置７０を作動させる。これにより、二階部分１５の集熱空間５３の空気（暖気）がチャンバ７１内に供給され、その暖気が同チャンバ７１内に蓄えられる。
【００７０】
ステップＳ２４では、各人検知センサ８７の検知結果に基づいて、各居室１６〜１９のいずれかに人がいるか否かを判定する。いずれかの居室１６〜１９に人がいる場合にはステップＳ２５に進み、いずれの居室１６〜１９に人がいるかを特定する。ステップＳ２６では、各居室温度センサ８６及び各集熱空間温度センサ８８の検知結果に基づいて、ステップＳ２５で特定した居室１６〜１９すなわち人がいる居室１６〜１９についてその居室温度が集熱空間５３の温度よりも低いか否かを判定する。居室１６〜１９の温度が集熱空間５３の温度よりも低い場合にはステップＳ２７に進む。
【００７１】
ステップＳ２７では、各集熱空間温度センサ８８ａ，８８ｂの検知結果に基づいて、一階部分１４の集熱空間５３の温度が二階部分１５の集熱空間５３の温度よりも高いか否かを判定する。二階部分１５の集熱空間５３の温度が一階部分１４の集熱空間５３の温度以上である場合にはステップＳ２８に進み、今現在チャンバ７１での蓄熱が実施されているか否かを判定する。この判定は、現在の時刻が所定の蓄熱時間帯であるか否かに基づいて行う。今現在チャンバ７１での蓄熱が実施されていない場合、すなわち二階部分１５の集熱空間５３の暖気を各居室１６〜１９へ供給可能な場合はステップＳ２９に進む。
【００７２】
ステップＳ２９では、ステップＳ２５で人がいると特定された居室１６〜１９の第２通気ガラリ８４を開状態とし、続くステップＳ３０にて第２ファン装置７０を作動させる。これにより、二階部分１５の集熱空間５３の暖気が第２給気経路５９を通じて人のいる居室１６〜１９に供給され、当該居室１６〜１９の暖房が行われる。なお、ステップＳ２９，Ｓ３０の各処理を行う場合には、各第１通気ガラリ６４を閉状態とするとともに、第１ファン装置６５の作動を停止させる。
【００７３】
一方、ステップＳ２７において一階部分１４の集熱空間５３の温度が二階部分１５の集熱空間５３の温度よりも高い場合、又は、ステップＳ２８において今現在チャンバ７１での蓄熱が行われている場合にはステップＳ３１に進む。ステップＳ３１では、人のいる居室１６〜１９の第１通気ガラリ６４を開状態とし、続くステップＳ３２では、第１ファン装置６５を作動させる。これにより、一階部分１４の集熱空間５３の暖気が第１給気経路５８を通じて人のいる居室１６〜１９に供給され、当該居室１６〜１９の暖房が行われる。なお、ステップＳ３１，Ｓ３２の各処理を行う場合には、各第２通気ガラリ８４を閉状態とするとともに、第２ファン装置７０の作動を停止させる。
【００７４】
先のステップＳ２４において各居室１６〜１９に人がいない場合、又はステップＳ２６において人のいる居室１６〜１９の温度が集熱空間５３の温度以上となっている場合には、ステップＳ３５に進む。ステップＳ３５では、各第１通気ガラリ６４を閉状態とし、続くステップＳ３６では第１ファン装置６５の作動を停止する。この場合、一階部分１４の集熱空間５３の空気について居室１６〜１９への供給が停止される。
【００７５】
次のステップＳ３７では、今現在チャンバ７１での蓄熱が実施されているか否かを判定する。この判定は、現在の時刻が所定の蓄熱時間帯であるか否かに基づいて行う。今現在チャンバ７１での蓄熱が実施されている場合には本処理を終了する。今現在チャンバ７１での蓄熱が実施されていない場合にはステップＳ３８に進み、各第２通気ガラリ８４を閉状態とし、続くステップＳ３９にて第２ファン装置７０の作動を停止させる。この場合、二階部分１５の集熱空間５３の空気について居室１６〜１９への供給が停止される。
【００７６】
図７の説明に戻り、先のステップＳ１１において現在の時刻が所定の昼間時間帯でない場合にはステップＳ１３に進み、現在の時刻が所定の夜間時間帯であるか否かを判定する。本実施形態では、所定の夜間時間帯において、チャンバ７１に蓄えられた暖気を各居室１６〜１９に供給することにより居室１６〜１９の暖房を行うこととしている。ここで、所定の夜間時間帯は、例えば２０：００〜２１：００に設定されている。現在の時刻が所定の夜間時間帯である場合にはステップＳ１４に進み、夜間暖房処理を実行する。
【００７７】
次に、夜間暖房処理について図９に基づいて説明する。図９は夜間暖房処理を示すフローチャートである。図９に示すように、夜間暖房処理ではまずステップＳ５１において、各人検知センサ８７の検知結果に基づいて、各居室１６〜１９のいずれかに人がいるか否かを判定する。いずれかの居室１６〜１９に人がいる場合にはステップＳ５２に進み、人のいる居室１６〜１９を特定する。
【００７８】
ステップＳ５３では、各居室温度センサ８６及びチャンバ温度センサ８９からの検知結果に基づいて、ステップＳ５２で人がいると特定された居室１６〜１９の温度がチャンバ７１内の温度よりも低いか否かを判定する。人がいる居室１６〜１９の温度がチャンバ７１内の温度よりも低い場合にはステップＳ５４に進む。
【００７９】
ステップＳ５４では、人がいる居室１６〜１９の第２通気ガラリ８４を開状態とし、続くステップＳ５５では第２ファン装置７０を作動させる。これにより、チャンバ７１内に蓄えられた暖気が人のいる居室１６〜１９に対して供給され、当該居室１６〜１９の暖房が行われる。
【００８０】
なお、第２通気ダクト６６における第２ファン装置７０よりも上流側に、同ダクト６６内における空気の流通を許可又は禁止する開閉バルブ（図示略）を設け、本ステップＳ５５の処理時に、開閉バルブを閉じた状態で第２ファン装置７０を作動させるようにしてもよい。
【００８１】
一方、ステップＳ５１においていずれの居室１６〜１９にも人がいない場合、又は、ステップＳ５３において人のいる居室１６〜１９の温度がチャンバ７１内の温度以上となっている場合にはステップＳ５６に進む。ステップＳ５６では、各第２通気ガラリ８４を閉状態とし、続くステップＳ５７では第２ファン装置７０の作動を停止させる。この場合、チャンバ７１内に蓄えられた空気について各居室１６〜１９への供給が停止される。
【００８２】
以上、詳述した本実施形態の構成によれば、以下の優れた効果が得られる。
【００８３】
外壁パネル４５の屋外側に集熱パネル５１を設けることでそれら両パネル４５，５１間に集熱空間５３を形成し、集熱空間５３の空気を居室１６〜１９に供給するための第２給気経路５９を屋根裏空間３４、壁内空間４３及び階間空間３２を通じて設けた。この場合、集熱空間５３の空気が太陽熱により集熱パネル５１を介して暖められ、その暖められた空気（暖気）が第２給気経路５８を通じて居室１６〜１９に供給される。また、第２給気経路５８の途中にチャンバ７１を設けたため、集熱空間５３から供給される空気（暖気）をチャンバ７１の内部に蓄えておくことができる。これにより、チャンバ７１に蓄えた暖気を居室１６〜１９に供給することで、夜間においても居室１６〜１９の暖房を行うことができる。
【００８４】
隣り合う２つの居室１８，１９を仕切る間仕切壁４１の内部の壁内空間４３にチャンバ７１を設置した。この場合、チャンバ７１を屋外から居室１８，１９を隔てて配置できるため、チャンバ７１の断熱性能を高めることができ、チャンバ７１内に暖気（熱）を好適に蓄えることができる。また、かかる場合には、チャンバ７１に蓄えた暖気を間仕切壁４１により仕切られた各居室１８，１９の両方に供給するにあたり都合がよい。具体的には、チャンバ７１の両側面にそれぞれ該チャンバ７１内の空気（暖気）を各居室１８，１９に供給する吹出グリル８３を設けたため、ダクト（配管）を介さずにチャンバ７１内の暖気を居室１８，１９に供給できる。この場合、居室１８，１９への暖気供給時における熱漏れ低減を図ることができ、夜間において効率のよい暖房が期待できる。
【００８５】
間仕切壁４１を構成する一対の内壁面材４２をそれぞれチャンバ７１の両側面に固定した。この場合、チャンバ７１を蓄熱容器としてだけでなく壁下地材としても用いることができるためチャンバ７１の多機能化が図れる。また、チャンバ７１を壁内空間４３が拡がる方向に拡張された扁平形状に形成したため、内壁面材４２をチャンバ７１の側面によって広く支えることができ、間仕切壁４１を安定した構造とすることができる。
【００８６】
チャンバ７１を建物ユニット２０の天井大梁２２により支持する構成としたため、チャンバ７１の荷重を建物ユニット２０の躯体部分によって支えることができる。これにより、チャンバ７１を安定した状態で設置できる。
【００８７】
具体的には、チャンバ７１の上端部に支持プレート７５を固定し、その支持プレート７５を介してチャンバ７１を隣接する各建物ユニット２０の対向する天井大梁２２に吊り下げ支持させる構成とした。隣接する建物ユニット２０の境界部では、対向する床大梁２３間に隙間が形成されるため、チャンバ７１をその下端部を床大梁２３上に載置した状態で設置することが困難となる場合がありえる。この点、上記吊り下げ支持の構成とすれば、ユニット境界部においてチャンバ７１を好適に設置できる。
【００８８】
より詳しくは、支持プレート７５を、対向する各天井大梁２２上に跨がるように載置することで、チャンバ７１を同プレート７５を介してそれら天井大梁２２により支持する構成とした。この場合、建物１０の施工時に、チャンバ７１をクレーン等で吊り下げた状態でユニット境界部に設置する際、まず支持プレート７５を天井大梁２２（詳細にはその上フランジ部）上に載置することでチャンバ７１を同大梁２２により吊り下げ支持し、その後その支持状態でチャンバ７１を天井大梁２２及び床大梁２３に固定する作業を行える。そのため、チャンバ７１の設置作業を好適に行える。
【００８９】
水平方向に隣り合う２つの建物ユニット２０の境界部に設置された間仕切壁４１の内部の壁内空間４３にチャンバ７１を設置した。そして、チャンバ７１を壁内空間４３が拡がる方向に拡張されてなる扁平形状に形成し、その一部を隣り合う建物ユニット２０の対向する天井大梁２２同士の間の隙間（梁間隙間）、及び、対向する床大梁２３同士の間の隙間（梁間隙間）まで延出させた。この場合、通常デッドスペースとなっている梁間隙間の有効利用を図ることができるとともに、梁間隙間までチャンバ７１を延出させる分チャンバ７１の内容量を大きくすることができ蓄熱量の増大を図ることができる。
【００９０】
建物ユニット２０の天井大梁２２により囲まれた内側スペース（梁囲みスペース）に、一端が集熱空間５３に通じ他端がチャンバ７１に接続された第２通気ダクト６６を設置した。上記内側スペースは、水平方向に隣接する建物ユニット２０の間のユニット間スペースと天井大梁２２を隔てて隣接しているため、内側スペースに設置された第２通気ダクト６６の端部を天井大梁２２の梁貫通孔２２ａに貫通させる等することで、同ダクト６６を容易にユニット間スペースに導くことができる。そのため、ユニット間スペースに設置されたチャンバ７１に第２通気ダクト６６を接続するに際し好都合な構成となっている。また、特にチャンバ７１を、ユニット間スペースにおいて対向する天井大梁２２同士の隙間（梁間隙間）まで延出させた上述の構成では、チャンバ７１において梁間隙間まで延出した部位が上記内側スペースに天井大梁２２を隔てて隣り合う位置に配置されるため、第２通気ダクト６６をチャンバ７１に対して容易に接続することが可能となる。
【００９１】
集熱空間５３の空気を居室１６〜１９に供給するための給気経路として２つの給気経路５８，５９を設け、そのうち一方の給気経路５９（第２給気経路５９）にチャンバ７１を設ける一方、他方の給気経路５８（第１給気経路５８）にはチャンバ７１を設けないようにした。これにより、昼間の時間帯にチャンバ７１での蓄熱が行われているがために第２給気経路５９を通じて集熱空間５３の空気を居室１６〜１９へ供給できない場合でも、第１給気経路５８を通じて集熱空間５３の空気を居室１６〜１９へ供給できる。そのため、昼間の時間帯においてチャンバ７１で蓄熱が行われている場合でも居室１６〜１９の暖房を行うことができる。
【００９２】
チャンバ７１内の空気を居室１６〜１９に供給するための第２ファン装置７０を設け、居室温度センサ８６により検知された居室１６〜１９の温度がチャンバ温度センサ８９により検知されたチャンバ７１内の温度よりも低いことを条件として、チャンバ７１内の空気を居室１６〜１９に供給するよう第２ファン装置７０を駆動制御した。この場合、チャンバ７１に蓄えられた暖気が冷める等してチャンバ７１内の温度が居室１６〜１９の温度以下となった場合には、チャンバ７１内の空気が居室１６〜１９に供給されないため、冷えた空気が居室１６〜１９に供給されることでかえって居室１６〜１９を冷やしてしまう等の不都合を回避できる。
【００９３】
第２給気経路５９に、チャンバ７１内の空気を各居室１６〜１９に吹き出す吹出グリル８３と、それら各吹出グリル８３を開閉する第２通気ガラリ８４とを設け、人検知センサ８７により人がいることが検知された居室１６〜１９に対してのみチャンバ７１内の空気を供給する（吹き出す）よう第２通気ガラリ８４を駆動制御した。この場合、チャンバ７１に蓄えられた暖気が人のいる居室１６〜１９に対して自動で供給されるため、夜間における暖房を行うにあたって利便性を高めることができる。また、人のいない居室１６〜１９にはチャンバ７１内の暖気が供給されないため、暖気を無駄に消費することを回避できる。
【００９４】
一階部分１４の集熱空間５３の空気を居室１６〜１９に供給するための第１給気経路５８と、二階部分１５の集熱空間５３の空気を居室１６〜１９に供給するための第２給気経路５９とを設け、集熱空間温度センサ８８ａにより検知された一階部分１４の集熱空間５３の温度と、集熱空間温度センサ８８ｂにより検知された二階部分１５の集熱空間５３の温度との比較に基づいて、それら各集熱空間５３の空気のうちいずれを居室１６〜１９に供給するかを切り替え可能とした。具体的には、一階部分１４の集熱空間５３の温度が二階部分１５の集熱空間５３の温度よりも高い場合には一階部分１４の集熱空間５３の空気を居室１６〜１９に供給し、二階部分１５の集熱空間５３の温度が一階部分１４の集熱空間５３の温度以上である場合には二階部分１５の集熱空間５３の空気を居室１６〜１９に供給するようにした。これにより、比較的温度の高い集熱空間５３の空気が居室１６〜１９に供給されるため、居室１６〜１９の暖房を好適に行うことができる。
【００９５】
本発明は上記実施形態に限らず、例えば次のように実施されてもよい。
【００９６】
（１）上記実施形態では、チャンバ７１を間仕切壁４１の壁内空間４３に設けたが、これに代えて又は加えて、屋根裏空間３４に設けてもよい。チャンバ７１を、壁内空間４３と屋根裏空間３４との両方に設置すれば、蓄熱量を増大することができるため、夜間における暖房時間を長くすることができる。なお、屋根裏空間３４ではチャンバ７１を横向きの状態で設置すればよい。
【００９７】
（２）上記実施形態では、第２給気経路５９の途中にチャンバ７１を設けたが、これに代えて又は加えて、第１給気経路５８の途中にチャンバ７１を設けてもよい。例えば、第１給気経路５８において、チャンバ７１を間仕切壁３６の壁内空間３８に設置したり、階間空間３２に設置したりすることが考えられる。第１給気経路５８と第２給気経路５９との双方にチャンバ７１を設ければ、蓄熱量を増大することができるため、夜間における暖房時間を長くすることができる。
【００９８】
（３）第１給気経路５８及び第２給気経路５９は必ずしも上記実施形態で示した経路を辿る必要はない。例えば、第２給気経路５９の一部を、建物１０の外周部において外壁パネル４５とその屋内側の内壁パネルとの間に形成される壁内空間（部屋裏空間に相当）に通してもよい。この場合、上記壁内空間にチャンバ７１を設置してもよい。
【００９９】
また、第１給気経路５８の一部を下階ユニット２０ａの床下空間（詳しくは下階ユニット２０ａの床面材２９の下方空間）に通してもよい。この場合、上記床下空間にチャンバ７１を設置してもよい。
【０１００】
（４）階間空間３２に、第１給気経路５８に代えて、一端が一階部分１４の集熱空間５３に通じ他端がチャンバ７１に接続された給気ダクトを設けてもよい。そうすれば、二階部分１５の集熱空間５３の空気（暖気）に加えて、一階部分１４の集熱空間５３の空気（暖気）もチャンバ７１に供給できるため、チャンバ７１での蓄熱量を増大させることが可能となる。また、上記の給気ダクトは、例えば階間空間３２において上階ユニット２０ｂの床大梁２３により囲まれた梁囲みスペースに設置され、その他端がチャンバ７１において対向する床大梁２３同士の間（梁間隙間）に延出した部分（チャンバ７１の下部）に接続されることが考えられる。
【０１０１】
（５）上記実施形態では、建物１０に２つの給気経路５８，５９を設けたが、３つ以上の給気経路を設けてもよい。この場合、複数の給気経路のうち、一部の給気経路にのみチャンバ７１を設けることが好ましい。こうすることで、チャンバ７１での蓄熱が行われている間でも、チャンバ７１が設けられていない給気経路を通じて集熱空間５３の暖気を居室１６〜１９に供給でき当該居室１６〜１９の暖房を行うことができる。なお、建物１０に給気経路として第２給気経路５９のみを設ける構成としてもよい。
【０１０２】
（６）上記実施形態では、チャンバ７１を天井大梁２２に支持させる構成としたが、これに代えて又は加えて、チャンバ７１を柱２１に固定部材を介して固定する等して該柱２１に支持させるようにしてもよい。
【０１０３】
（７）上記実施形態では、建物１０において隣り合う建物ユニット２０間（ユニット境界部）に設けられた間仕切壁４１の壁内空間４３にチャンバ７１を設けたが、ユニット境界部以外の建物ユニット２０内部に設けられた間仕切壁、すなわち床面材２９と天井面材２８との間に配設された間仕切壁の内部にチャンバ７１を設けてもよい。この場合、チャンバ７１の上端部を天井面材２８を介して天井大梁２２に固定し、チャンバ７１の下端部を床面材２９を介して床大梁２３に固定することが考えられる。そうすれば、チャンバ７１を、建物ユニット２０の躯体に支持させることができ、チャンバ７１を安定した状態で設置できる。
【０１０４】
（８）上記実施形態では、チャンバ７１の一部を、隣り合う建物ユニット２０の対向する天井大梁２２間の隙間（以下、天井側梁間隙間という）、及び、対向する床大梁２３間の隙間（以下、床側梁間隙間という）の双方に延出させて形成したが、これを変更して、チャンバ７１の一部を、天井側梁間隙間及び床側梁間隙間のいずれか一方にのみ延出させる構成としてもよい。また、チャンバ７１の一部を、それら両梁間隙間のいずれにも延出させないようにしてもよい。
【０１０５】
また、チャンバ７１の形状は必ずしも扁平形状である必要はない。例えば、チャンバ７１を階間空間３２に設置する場合において、チャンバ７１を四角柱状に形成し、同チャンバ７１を下階ユニット２０ａにおける隣り合う天井小梁２５間と、上階ユニット２０ｂにおける隣り合う床小梁２６間とに跨がるように、かつ、それら小梁２５，２６に沿って延びる向きで設けることが考えられる。
【０１０６】
（９）上記実施形態では、チャンバ７１を支持プレート７５（被支持部）を介して天井大梁２２により支持したが、これを変更してもよい。例えば、ワイヤロープの一端をチャンバ７１の上端部に固定するとともに他端にフック部（引っ掛け部）を設け、該フック部を天井大梁２２の梁貫通孔２２ａに引っ掛けることにより、チャンバ７１をワイヤロープを介して天井大梁２２により支持することが考えられる。この場合、ワイヤローブが被支持部に相当するものとなる。
【０１０７】
（１０）チャンバ７１内に蓄えられた空気（暖気）を居室１６〜１９に供給するにあたって、居室温度センサ８６により検知された居室１６〜１９の温度に基づいて、チャンバ７１内の空気（暖気）の居室１６〜１９への供給量（暖気供給量）を制御してもよい。具体的には、居室１６〜１９の温度が低いほど、当該居室１６〜１９への暖気供給量を増やすことが考えられる。この場合、居室１６〜１９の温度が低い場合には、居室１６〜１９に多くの暖気が供給されるため、速やかに居室１６〜１９を暖めることができる。ここで、居室１６〜１９への暖気供給量を制御するにあたっては、例えば第２ファン装置７０の回転数を制御したり、吹出グリル８３の吹出口の開口量（開口面積）を第２通気ガラリ８４により制御したりすることが考えられる。
【０１０８】
（１１）一階部分１４の集熱空間５３と二階部分１５の集熱空間５３とを上下に連通させてもよい。例えば、両集熱空間５３を接続ダクトによって上下に連結し、一階部分１４の集熱空間５３の空気を接続ダクトを通じて二階部分１５の集熱空間５３に導くようにする。そうすれば、一階部分１４の集熱空間で暖められた空気が二階部分１５の集熱空間５３に流れ込み、同空間５３においてさらに暖められるため、二階部分１５の集熱空間５３の温度を高くすることができる。これにより、第２給気経路５９を通じてチャンバ７１に比較的高い温度の暖気を供給でき、その結果チャンバ７１での蓄熱量を増大させることができる。
【０１０９】
（１２）上記実施形態では、建物１０において集熱パネル５１を外壁パネル４５の屋外側に設けることで、外壁パネル４５と集熱パネル５１との間に集熱空間５３を形成したが、これを変更して、集熱パネル５１を屋根の屋外側に設け、屋根（屋根面）と集熱パネル５１との間に集熱空間５３を形成してもよい。この場合、例えば第２給気経路５９をかかる屋根側の集熱空間５３に通じるように設け、同空間５３において暖められた空気（暖気）を各居室１６〜１９に供給することが考えられる。
【０１１０】
（１３）上記実施形態では、ユニット式建物への適用例を説明したが、鉄骨軸組工法により構築される建物や、在来木造工法により構築される建物等、他の構造の建物にも本発明を適用することができる。
【符号の説明】
【０１１１】
１０…建物、１６〜１９…部屋としての居室、２０…建物ユニット、２１…柱、２２…梁としての天井大梁、２３…梁としての床大梁、２８…仕切面材としての天井面材、２９…仕切面材としての床面材、３４…部屋裏空間としての屋根裏空間、４１…仕切体としての間仕切壁、４２…仕切面材としての内壁面材、４３…部屋裏空間としての壁内空間、５０…太陽熱集熱装置、５１…集熱板としての集熱パネル、５３…集熱空間、５８…給気経路としての第１給気経路、５９…給気経路としての第２給気経路、６６…給気ダクトとしての第２通気ダクト、７１…蓄熱用チャンバとしてのチャンバ、７５…被支持部としての支持プレート、８６…部屋温度検知手段としての居室温度センサ、８７…人検知手段としての人検知センサ、８９…チャンバ温度検知手段としてのチャンバ温度センサ、９０…給気制御手段及び切替制御手段としてのコントローラ。
【図１】
0005789424.tif 000002
【図２】
0005789424.tif 000003
【図３】
0005789424.tif 000004
【図４】
0005789424.tif 000005
【図５】
0005789424.tif 000006
【図６】
0005789424.tif 000007
【図７】
0005789424.tif 000008
【図８】
0005789424.tif 000009
【図９】
0005789424.tif 000010